(57)【要約】【課題】研磨作業が容易で、安価に提供できる刈払い機の回転刃の研磨装置を提供する。【解決手段】取付台２に電動グラインダー３を支持し、その研磨ディスクで研磨すべき回転刃５を載せるために、支持台６を機台１上に支持する。支持台６には長孔６ｂがあいており、これに沿ってスライドできるようにコマ７を設ける。コマは、スプリング１０で引き寄せてグラインダー３から遠ざけるようになっている。支持台６に操作レバー１５が枢支されており、これをグラインダー３の方に回動したとき、ピン１６を介してコマ７を長孔６ｂに沿って移動させるようになっている。また、操作レバーには爪リンク１７を設け、操作レバーを前後に回動するごとに、刃一つ分ずつ回転刃を回転させることができる。【選択図】図１
0003119632.tif 000002
【実用新案登録請求の範囲】
【請求項１】
機台上に固定された研磨ディスクと、該機台上に支持され、回転刃を載せるための支持台と、該支持台に開けられた長孔に沿ってスライドするコマと、該研磨ディスクから遠ざかるよう該コマを付勢するスプリングと、該コマの上に立つ、該回転刃の中心穴が挿通する支軸と、該支持台に一端を枢支され、該コマを該研磨ディスクに向けて移動させるための操作レバーと、該操作レバーに一端が枢支され、該回転刃の周囲に一定間隔で並んでいるノッチに係合する爪を先端に備え、該操作レバーを前後に回動すると、刃一つ分ずつ該回転刃を一方向に回転させる爪リンクからなる刈払い機の回転刃の研磨装置。
【請求項２】
該支持台が該研磨ディスクに対し直角でなく傾いている請求項１に記載の刈払い機の回転刃の研磨装置。
【考案の詳細な説明】
【技術分野】
【０００１】
本考案は可搬式刈払い機の回転刃を、切れ味が低下したときに、研磨する装置に関する。
【背景技術】
【０００２】
可搬式刈払い機で用いられる回転刃は、金属円板の外周に沿って鋸歯状に刃を並べたもので、一般に各刃に超硬チップが取り付けられている。
【０００３】
このような回転刃（丸鋸）は、草刈作業を数時間も行うと切れ味が悪くなってくる。しかし、切れ味を回復するためこれを研磨しようにも、従来、操作が簡単で低価格の研磨装置がなかった。例えば特許文献１の研磨装置は、一つ一つの刃をグラインダーに押し当てていかなければならないので、大変使用しにくいものであった。このため、回転刃は使い捨てにされ、切れ味が悪くなるとすぐに新しい回転刃に取り替えて使用されるのが普通で、無駄が多かった。
【特許文献１】実開昭６１−２０２５２号公報
【考案の開示】
【考案が解決しようとする課題】
【０００４】
この考案は、研磨作業が容易で、安価に提供できる刈払い機の回転刃の研磨装置を提供することを課題とする。
【課題を解決するための手段】
【０００５】
この考案の刈払い機の回転刃の研磨装置は、機台上に研磨ディスクと回転刃の支持台をそれぞれ支持する。支持台には長孔をあけ、その長孔に沿ってスライドするようにコマを設ける。このコマは研磨ディスクから遠ざかるようスプリングで付勢する。コマの上には支軸を設け、回転刃はその中心穴をこの支軸に通した状態で支持台に載せる。この支軸に通した回転刃を研磨ディスクに向けて移動させるために、支持台に操作レバーを設ける。この操作レバーには、この操作レバーを前後に回動すると刃一つ分ずつ回転刃を一方向に回転させる爪リンクを設ける。
【０００６】
このものでは、操作レバーを前に回動して支持台上の回転刃を研磨ディスクに押し当てて刃を研磨することができる。この状態から操作レバーを後に戻して再び前に回動すると、刃一つ分だけ回転刃が回転するので、研磨の済んだ刃は先に送られ、その隣の刃が研磨ディスクに押してられ研磨される。こうして、操作レバーを前後に回動していけば、回転刃の全周の刃を研磨することができ、能率のよい研磨ができる。
【０００７】
支持台は研磨ディスクに対し直角でもよいが、少し傾斜させておけば、回転刃の刃を鋭角に研磨することができ、切れ味を高めることができる。
【考案を実施するための最良の形態】
【０００８】
この考案の実施例を、図面に基づいて説明する。機台１上に設けた取付台２に手持ち式の電動グラインダー３を支持する。グラインダーの駆動軸３ａは水平であり、したがって、それに取り付けられる研磨ディスク３ｂは垂直に保持される。この研磨ディスクで研磨される回転刃５を載せる支持台６を機台１上に支持する。支持台６は水平ではなく、研磨ディスク３ｂに向けて20度ほど傾斜している。支持台６は金属板を曲げ加工ししたもので、直線状の溝６ａが形成してあり、溝の底に長孔６ｂがあけてある。
【０００９】
この長孔６ｂに沿ってスライドできるようにコマ７を設ける。コマは２つの部品、すなわち長孔の中に挿通された円柱部材７ａと、その下に固定される板状部材７ｂから成っている。板状部材７ｂには下向きのフランジ７ｃがあり、これと支持台６の裏側に設けたピン９の間にコイルスプリング１０を延設し、これでコマ７を引き寄せてグラインダー３から遠ざけるようになっている。
【００１０】
コマ７の上には雄ねじを刻んだ支軸１１が延びており、研磨すべき回転刃５は、その中心孔をこの支軸に通して支持台６の上に置く。
【００１１】
支持台６の下面にピン１３を立て、その周りに回動できるように操作レバー１５の一端を枢支する。この操作レバー１５をグラインダー３の方に回動したとき、コマ７が長孔６ｂに沿って移動するように、コマの下側の板状部材７ｂにピン１６を立てておく。また、操作レバー１５の握り部に近いところにピン１８を立て、その周りに回動できるようにリンク１７を枢支する。リンク１７はその先に、回転刃の刃と刃の間のノッチ５ｂに係合する爪１７ａを持っている。この爪を回転刃に向けて付勢するために、操作レバー１５と爪リンク１７の間にコイルスプリング１９を延設する。図１の符号２０は操作レバー１５のストッパである。
【００１２】
研磨作業を行うには、中心穴を支軸１１に通すようにして回転刃５を支持台６の上にセットする。回転刃が支軸１１から抜け出ることがないよう、支軸１１にねじキャップ２１を被せる。こうしておいて、操作レバー１５を前に押しやると、スプリング１０が引き伸ばされ、ピン１６を介してコマ７が支持台の長孔６ｂに沿って前進し、回転刃５は支持台の上を前進する。
【００１３】
こうして、操作レバー１５に加える力を加減しながら、回転刃５の刃先を回転する研磨ディスク３ｂに軽く押し付け、刃先についているチップ５ｃを研磨する。回転刃が載っている支持台６は水平でなく20度ほど傾いているので、チップは回転刃に直角でなく斜めに研磨され、鋭利な刃先が形成される。一つの刃の研磨が終わったら、操作レバー１５を後退させると、コマ７がスプリング１０で引張られて、回転刃５も後退する。このとき同時に、リンク１７の爪１７ａは刃５ａを一つ乗越えて隣りのノッチ５ｂに係合する。再び操作レバーを前に押しやると、回転刃のノッチに爪が掛っているので、前に研磨した刃は先に送られ、その隣りの刃が研磨ディスク３ｂに押し当てられて研磨される。
【００１４】
こうして、操作レバーを揺動しながら刃を一つずつ研磨していくことができる。
【図面の簡単な説明】
【００１５】
【図１】研磨装置の平面図である。
【図２】図１のＡ−Ａ断面図である。
【図３】同じくＢ−Ｂ断面図である。
【符号の説明】
【００１６】
１    機台
３    グラインダー
３ｂ  研磨ディスク
５    回転刃
５ａ  刃
５ｂ  ノッチ
６    支持台
６ｂ  長孔
７    コマ
１０  スプリング
１１  支軸
１５  操作レバー
１７  爪リンク
１７ａ  爪
【図１】
0003119632.tif 000003
【図２】
0003119632.tif 000004
【図３】
0003119632.tif 000005